(57)【要約】【課題】  ２つの枕が対を成して連結している２連式枕の提供。【解決手段】  各枕１，２は枕カバー４に設けた袋状の収容部５，６に収容され、枕カバー４には両収容部５，６を繋ぐ繋ぎ部３を有し、収容部５，６には一部を開口して枕１，２を出し入れする為のファスナーを設け、上記各収容部の枕１，２はその硬さを違わせている。【選択図】    図１
2020081117.tif 000002
【特許請求の範囲】
【請求項１】
複数の枕が連結してなる多連式枕において、各枕は所定の幅寸法を有す繋ぎ部を介して繋がれ、該繋ぎ部が湾曲又は屈曲することで各枕は位置ズレすることなく重なり合うことが出来るようにした多連式枕。
【請求項２】
上記各枕は、その硬さを異にしている請求項１記載の多連式枕。
【請求項３】
上記各枕は、その高さを違わせている請求項１、又は請求項２記載の多連式枕。
【請求項４】
上記枕は枕カバーに形成した収容部に収容し、各収容部は上記繋ぎ部にて繋がれ、収容部には一部を開口して枕を出し入れする為のファスナーやマジックテープ（粘着テープ）などの閉塞手段を設けた請求項１、請求項２、又は請求項３記載の多連式枕。
【請求項５】
上記枕の下側に収容部を設け、該収容部に硬さが比較的硬い別の枕を収容し、収容部には一部を開口して枕を出し入れする為のファスナーやマジックテープ（粘着テープ）などの閉塞手段を設けた請求項１記載の多連式枕。
【請求項６】
上記１つの収容部に複数の枕を収容して１つの枕とした請求項４記載の多連式枕。
【発明の詳細な説明】
【技術分野】
【０００１】
本発明は硬さの異なる複数の枕を連結して構成した多連式枕に関するものである。
【背景技術】
【０００２】
睡眠する際には頭部を適度な高さに支える為に枕が使われる。また、枕の硬さも重要であり、好みにもよるが、柔らかい枕を好み人もいれば、比較的硬い枕を好む人もいる。
たかが枕であっても、その人に合わない枕を使用する場合、眠り難くなって十分な睡眠がとれないことが多い。したがって、近年では各種枕が市販されている。
【０００３】
実用新案登録第３１７１６８０号に係る「枕」は、変形し難く最適な形状を保持できる枕である。
枕が床に接する面に配置されて平坦な芯材を収容した台部と、折り目を介して上記台部と連結され独立した袋を集合した部分とを備えている。人の頭を載せる部分の左右両側に、それぞれ縦に並べて２個ずつ、頬支持袋が設けられ、人の頭を載せる部分には、頬支持袋に挟まれるように、縦に４個の袋が並び、枕の中央の人の後頭部を載せる部分には、長方形の２個の後頭部支持袋が設けられる。
【０００４】
特開２００８−１８２１３号に係る「横向き安楽補助枕」は、横向きに寝ころがった状態で体を好みの角度に、しかも楽に保持するための横向き安楽補助枕である。
布製袋に三角柱形の低反発ウレタンを内包したものを２個連結し、折りたたむか展開することで普通の枕と横向きで安楽な姿勢が保たれる。
【０００５】
実用新案登録第３００５２０２号に係る「補助枕」は、枕に取付けて使用することで、枕自体の一般的特性や質感を損なうことなく、枕に載置した頭部の安定性を高め、且つ、枕からの頭部の落下を防止することが可能である補助枕である。
すなわち、中間連結帯、及び、その両側に連結され、各連結部分から斜に立ち上がる支承面を形成し、頭部の荷重に対して容易に潰れない程度の硬度と弾性を有する２個の小枕体よりなり、それらを枕本体に着脱可能に固定する固定手段を設けている。
【０００６】
このように、枕には色々な種類や形態が知られており、各自は自分に適した枕を選んで使っている。
【特許文献１】実用新案登録第３１７１６８０号に係る「枕」
【特許文献２】特開２００８−１８２１３号に係る「横向き安楽補助枕」
【特許文献３】実用新案登録第３００５２０２号に係る「補助枕」
【発明の開示】
【発明が解決しようとする課題】
【０００７】
このように、枕には色々な種類や形態のものが市販されており、自分に合った枕が使用される。本発明が解決しようとする課題は、比較的硬い枕と柔らかい複数の枕を繋いで構成したもので、その１つを使ったり、又は全ての枕を重ね合わせて使ったり出来るようにした多連式枕を提供する。
【課題を解決するための手段】
【０００８】
本発明の枕は比較的硬い枕と柔らかい複数の枕を連結した多連式枕であり、各枕は一般に枕カバーに収容されている。該枕カバーは個々の枕を収容することが出来るように複数の収容部を有し、該収容部には枕を出し入れすることが出来る開口を設け、該開口はファスナーやマジックテープなどの閉塞手段で閉じることが出来る。その為に、１つの収容部には１個の枕ではなく、２個ないし３個の小さい枕を収容する場合もあり、全体としての形並びに高さを違わせている。
【０００９】
ここで、上記枕は一般にその硬さを違わせ、好みに応じて使い分けることが出来るようにしている。ただし、個々の枕の具体的な硬さについては限定しない。また、背中から腰に当てて身体を凭れるように各枕を重ね合わせて使うことも出来、本発明に係る多連式枕の使い方については自由である。そして、個々の枕は連結しているが、枕を収容する枕カバーには、各枕の間に一定幅の繋ぎ部を設けている。
一般的には枕カバーに個々の枕を収容する形態を構成しているが、枕カバーに収容することなく枕を繋ぎ部によって直接繋ぐこともある。この場合、各枕を直接繋ぐことも出来、又は一部の枕を枕カバーに収容して繋ぐ場合もある。
【発明の効果】
【００１０】
本発明に係る多連式枕は、個々の枕が互いに繋がって構成され、しかも各枕は一般にその硬さが違い、また形や高さを違わせている。
したがって、睡眠する際には好みに応じて使い分けることが出来、また各枕を重ねて腰や背中に配置して凭れ掛かることも出来る。この場合、各枕の間には繋ぎ部が介在していることで、個々の枕を上下に重ねることが出来る。また、個々の枕を前後に位置をズラして重ねることも出来る。
【００１１】
そして、枕は繋ぎ部に直接繋がれることなく枕カバーに収容されるならば、好みの枕を収容することで、硬さ並びに高さを自由に調整することが可能である。
この際、収容部には１個ではなく複数の枕を収容して、適度な硬さ及び高さになるように手軽に調整出来る。
勿論、各枕は枕カバーの収容部に収まって繋ぎ部にて繋がれている場合、又は各枕が直接繋がれている場合の何れであっても、１つの枕が紛失することはない。
【図面の簡単な説明】
【００１２】
【図１】本発明に係る多連式枕の１形態である２連式枕の実施例で、（ａ）は平面図、（ｂ）は正面図。
【図２】２連式枕を構成する枕カバーの実施例で、（ａ）は平面図、（ｂ）は正面図。
【図３】枕カバーの収容部に枕を入れた場合の断面図。
【図４】２連式枕を示す他の実施例。
【図５】両枕を互いに重ね合わせた場合。
【図６】両枕を位置をズラして互いに重ね合わせた場合。
【図７】本発明に係る多連式枕の１形態である４連式枕の実施例。
【図８】４連式枕を丸めた使用形態。
【発明を実施するための形態】
【００１３】
図１は本発明に係る多連式枕の具体例であって、２連式枕を示し、（ａ）は平面図、（ｂ）は正面図をそれぞれ表わしている。同図の１は一方の枕、２は他方の枕を表し、枕１，２の間には一定幅Ｍの繋ぎ部３を有している。そして、枕１の内部には内材１３が充填され、枕２の内部には内材１４が充填されて所定の形状の膨らみを形成し、また所定の硬さを有している。
【００１４】
両枕１，２は繋ぎ部３によって繋がれ、その為に、同図に示すように平面上に対を成して並べることが出来、また上下に重ね合わせることも可能である。
図１の両枕１，２は上記繋ぎ部３が側縁１１，１２に縫い付けられているが、両枕１，２を直接繋ぐことなく、繋ぎ部３を有した枕カバー４を使用し、該枕カバー４形成した収容部５，６に枕１，２を収容するように構成することも可能である。
【００１５】
枕カバー４の収容部にはその一部を開口することが出来るようにファスナー又は粘着テープ（マジックテープ）などを設けていて、該収容部には好みに応じた硬さ及び高さの枕が収容されている。
図２は枕カバー４を示す実施例であり、袋状をした収容部５と収容部６を有し、両収容部５，６の間には繋ぎ部３を設けている。ここで、上記枕カバー４は一般に布地を縫製して作られており、収容部５，６の一辺にはファスナー７，８を設けている。
【００１６】
したがって、該ファスナー７，８を開くならば、袋状をした収容部５，６は開口し、この開口から互いに分離している枕１，２を入れることが出来る。収容部５，６に入った枕１，２は、枕カバー４の繋ぎ部３にて互いに連結され、離れることなく、対を成して組み合わされ、本発明に係る多連式枕の１つである２連式枕となる。
図３は枕カバー４の収容部５，６に収容されている枕１，２の断面を表している。ここで、収容部５，６の具体的な構成は特に限定しないが、図３に示す枕カバー４の収容部５の底９は多少剛性のある厚めの生地としている。
【００１７】
例えば、底９に通気性の良いメッシュ生地を用いることが出来る。また、上面１０は柔らかい生地が使用され、両生地を縫い合わせて収容部５を作っている。そして、その一辺にファスナーを縫い付けて開口出来るようにしている。
ところで、この収容部５には２個の枕１ａ，１ｂが収容され、両枕１ａ，１ｂは重なって組み合わされ、収容部５に収容されることで１つの枕１が構成される。ここで、下側の枕１ａはその大きさは大きくて比較的硬くなっている。
これに対して、上側の枕１ｂの大きさは小さくて比較的軟らかくなっていて、このように大きさ並びに硬さの違う枕１ａ，１ｂが重なり合って収容部５に収容されることで１つの枕１とする場合もある。
【００１８】
該収容部５に繋ぎ部３を介して連結している他方の収容部６には大きくて柔らかい枕２が収まっている。ここで、各枕１，２に充填されるに内材の材質は限定しない。
図４は本発明の２連式枕を示す他の実施例である。同図に示す２連式枕は、枕１と枕２は繋ぎ部３にて繋がれ、そして、一方の枕１の下側には収容部５が設けられ、この収容部５に枕１ａが収容されている。
したがって、枕１は比較的柔らかい枕１ｂと比較的硬い枕１ａとで構成され、繋ぎ部３を介して枕２と繋がっている。
【００１９】
ところで、この２連式枕の使い方については個人の自由であり、好みに応じて使うことが出来る。
前記図１に示したように、枕１と枕２とが同一面に配置する場合、比較的硬い枕１のみを使うことが出来る。又は、比較的柔らかい枕２のみを使うことが出来る。
【００２０】
図５は２連式枕の他の使い方を示す具体例である。同図に示す２連式枕は、枕１の上側に枕２を重ね合わせた場合であり、使い方としては背もたれとして利用することが出来る。
例えば、凭れ掛かってテレビを見る際に便利であり、枕１と枕２とは繋ぎ部３にて連結されていることで、重ね合わせた場合に上側の枕２は位置ズレしにくい。
【００２１】
図６は２連式枕の使用例を示す他の実施例である。枕１の上側に枕２が重なり合っているが、前記図５に示した重なり形態とは異なり、上側の枕２は後方（足側）へ位置ズレしている。その為に、重なり合った枕１，２の高さは図５の場合に比較して低く、凭れ掛かり易く成る。しかも、上側の枕２の傾斜角度が滑らかとなる。
【００２２】
本発明は枕１と枕２とが繋ぎ部３にて繋がれていることで、重ね合わせることが出来る。繋ぎ部３がなくて、枕１の側縁１１と枕２の側縁１２が直接縫い合わされているならば、図５や図６のように折畳まれた状態で枕１の上に枕２を重ね合わせることは出来ない。すなわち、該枕２は枕１の上に重なることなく垂直に起立するだけとなる。
したがって、凭れることは出来るかもしれないが、横になって頭部を載せて寝ることは不可能であり、両枕１，２は位置ズレしてしまう。
【００２３】
図７は本発明に係る多連式枕を示す他の実施例であり、４連式枕を示している。
該４連式枕は４つの枕１５ａ，１５ｂ，１５ｃ，１５ｄを有し、これら４つの枕の大きさは枕１５ａ＞枕１５ｂ＞枕１５ｃ＞枕１５ｄとし、これら各枕１５ａ，１５ｂ，１５ｃ，１５ｄは繋ぎ部１６ａ，１６ｂ，１６ｃによって繋がれている。該繋ぎ部１６ａ，１６ｂ，１６ｃは所定の幅寸法を有している。これは、前記図１に示すように枕１と枕２が繋がれている２連式枕と同じである。
【００２４】
ところで、この４連式枕の使い方は自由であり、限定されるものではない。例えば、図８に示すように、一番大きな枕１５ａの上面を包むように他の３つの枕１５ｂ，１５ｃ，１５ｄは繋ぎ部１６ａ，１６ｂ，１６ｃを介して巻き付いている。このように丸まった４連式枕はその外周は大きくなって、テレビを見る場合に背中を凭れ易くなる。
【符号の説明】
【００２５】
１ 枕
２ 枕
３ 繋ぎ部
４ 枕カバー
５ 収容部
６ 収容部
７ ファスナー
８ ファスナー
９ 底
10 上面
11 側縁
12 側縁
13 内材
14 内材
15 枕
16 繋ぎ部
【図１】
2020081117.tif 000003
【図２】
2020081117.tif 000004
【図３】
2020081117.tif 000005
【図４】
2020081117.tif 000006
【図５】
2020081117.tif 000007
【図６】
2020081117.tif 000008
【図７】
2020081117.tif 000009
【図８】
2020081117.tif 000010